(57)【要約】【課題】  被取付部に対して取り付け及び取り外しを容易に行えるヘアドライヤ保持具を提供する。【解決手段】  ヘアドライヤ保持具は、本体部から突出するハンドル部を有するヘアドライヤを保持するヘアドライヤ保持具であって、ハンドル部の周りに配置されてヘアドライヤを支持する支持部と、被取付部の上部に引っ掛けられる引掛部と、を備える。【選択図】  図１
2019083961.tif 000002
【特許請求の範囲】
【請求項１】
本体部から突出するハンドル部を有するヘアドライヤを保持するヘアドライヤ保持具であって、
前記ハンドル部の周りに配置されて前記ヘアドライヤを支持する支持部と、
被取付部の上部に引っ掛けられる引掛部と、を備える、ヘアドライヤ保持具。
【請求項２】
面部と離れて対面し且つ前記面部に沿って延びる棒状の前記被取付部に対して、
前記引掛部よりも下方に配置されて前記面部に当たる当接部と、
前記引掛部と前記当接部とを接続する接続部と、をさらに備える、請求項１に記載のヘアドライヤ保持具。
【請求項３】
前記支持部の位置に対する前記当接部の位置を変更可能な位置変更部を、さらに備える、請求項２に記載のヘアドライヤ保持具。
【請求項４】
前記支持部は、前記ハンドル部を挟むように配置される直線状の挟み部を一対備え、
前記引掛部は、前記挟み部の端部から曲がるように延びて形成される、請求項１〜３の何れか１項に記載のヘアドライヤ保持具。
【請求項５】
前記支持部を有する第１部材と、
前記当接部を有する第２部材と、を備え、
前記位置変更部は、前記第１部材と前記第２部材とを回転可能に接続する、請求項３に記載のヘアドライヤ保持具。
【発明の詳細な説明】
【技術分野】
【０００１】
本発明は、ヘアドライヤを保持するヘアドライヤ保持具に関する。
【背景技術】
【０００２】
従来、ヘアドライヤを保持するヘアドライヤ保持具として、ヘアドライヤを支持する支持部と、例えば、被取付部に取り付けられる取付部とを備えるヘアドライヤ保持具が、知られている（例えば、特許文献１）。斯かるヘアドライヤ保持具においては、取付部が粘着テープやネジにより被取付部に固定されるため、ヘアドライヤを使用しない場合に、ヘアドライヤ保持具が邪魔になる場合がある。
【先行技術文献】
【特許文献】
【０００３】
【特許文献１】登録実用新案第３００３９８３号公報
【発明の概要】
【発明が解決しようとする課題】
【０００４】
そこで、課題は、被取付部に対して取り付け及び取り外しを容易に行えるヘアドライヤ保持具を提供することである。
【課題を解決するための手段】
【０００５】
ヘアドライヤ保持具は、本体部から突出するハンドル部を有するヘアドライヤを保持するヘアドライヤ保持具であって、前記ハンドル部の周りに配置されて前記ヘアドライヤを支持する支持部と、被取付部の上部に引っ掛けられる引掛部と、を備える。
【０００６】
また、ヘアドライヤ保持具は、面部と離れて対面し且つ前記面部に沿って延びる棒状の前記被取付部に対して、前記引掛部よりも下方に配置されて前記面部に当たる当接部と、前記引掛部と前記当接部とを接続する接続部と、をさらに備える、という構成でもよい。
【０００７】
また、ヘアドライヤ保持具は、前記支持部の位置に対する前記当接部の位置を変更可能な位置変更部を、さらに備える、という構成でもよい。
【０００８】
また、ヘアドライヤ保持具においては、前記支持部は、前記ハンドル部を挟むように配置される直線状の挟み部を一対備え、前記引掛部は、前記挟み部の端部から曲がるように延びて形成される、という構成でもよい。
【０００９】
また、ヘアドライヤ保持具は、前記支持部を有する第１部材と、前記当接部を有する第２部材と、を備え、前記位置変更部は、前記第１部材と前記第２部材とを回転可能に接続する、という構成でもよい。
【発明の効果】
【００１０】
以上の如く、ヘアドライヤ保持具は、被取付部に対して取り付け及び取り外しを容易に行える、という優れた効果を奏する。
【図面の簡単な説明】
【００１１】
【図１】図１は、一実施形態に係るヘアドライヤ保持具がヘアドライヤを保持する状態を示す側面図である。
【図２】図２は、同実施形態に係るヘアドライヤ保持具がヘアドライヤを保持する状態を示す斜視図である。
【図３】図３は、同実施形態に係るヘアドライヤ保持具の全体斜視図である。
【図４】図４は、同実施形態に係るヘアドライヤ保持具がヘアドライヤを保持する状態を示す側面図である。
【図５】図５は、同実施形態に係るヘアドライヤ保持具がヘアドライヤを保持する状態を示す側面図である。
【図６】図６は、同実施形態の一変形例に係るヘアドライヤ保持具の全体斜視図である。
【図７】図７は、同変形例に係るヘアドライヤ保持具がヘアドライヤを保持する状態を示す側面図である。
【図８】図８は、同実施形態の他の変形例に係るヘアドライヤ保持具の全体斜視図である。
【図９】図９は、同変形例に係るヘアドライヤ保持具がヘアドライヤを保持する状態を示す側面図である。
【図１０】図１０は、同実施形態のさらに他の変形例に係るヘアドライヤ保持具の全体斜視図である。
【図１１】図１１は、同変形例に係るヘアドライヤ保持具がヘアドライヤを保持する状態を示す側面図である。
【図１２】図１２は、他の実施形態に係るヘアドライヤ保持具の全体平面図である。
【図１３】図１３は、同実施形態に係るヘアドライヤ保持具の全体正面図である。
【図１４】図１４は、同実施形態に係るヘアドライヤ保持具の全体側面図である。
【図１５】図１５は、同実施形態に係るヘアドライヤ保持具がヘアドライヤを保持する状態を示す側面図である。
【図１６】図１６は、同実施形態に係るヘアドライヤ保持具の全体正面図であって、折り畳まれた状態を示す図である。
【図１７】図１７は、同実施形態に係るヘアドライヤ保持具の全体側面図であって、折り畳まれた状態を示す図である。
【図１８】図１８は、同実施形態に係るヘアドライヤ保持具が異なる方法でヘアドライヤを保持する際の状態を示す側面図である。
【図１９】図１９は、同実施形態に係るヘアドライヤ保持具が異なる方法でヘアドライヤを保持する際の状態を示す正面図である。
【図２０】図２０は、同実施形態の変形例に係るヘアドライヤ保持具がヘアドライヤを保持する状態を示す側面図である。
【図２１】図２１は、同変形例に係るヘアドライヤ保持具の全体正面図であって、折り畳まれた状態を示す図である。
【図２２】図２２は、さらに他の実施形態に係るヘアドライヤ保持具の全体斜視図である。
【図２３】図２３は、同実施形態に係るヘアドライヤ保持具の全体側面図である。
【図２４】図２４は、同実施形態に係るヘアドライヤ保持具がヘアドライヤを保持する状態を示す側面図である。
【図２５】図２５は、同実施形態に係るヘアドライヤ保持具がヘアドライヤを保持する状態を示す側面図である。
【図２６】図２６は、さらに他の実施形態に係るヘアドライヤ保持具の全体斜視図である。
【図２７】図２７は、同実施形態に係るヘアドライヤ保持具がヘアドライヤを保持する状態を示す側面図である。
【発明を実施するための形態】
【００１２】
＜第１実施形態＞
以下、ヘアドライヤ保持具における第１の実施形態について、図１〜図１１を参照しながら説明する。なお、各図（図１２〜図２７も同様）において、図面の寸法比と実際の寸法比とは、必ずしも一致しておらず、また、各図面の間での寸法比も、必ずしも一致していない。
【００１３】
図１及び図２に示すように、ヘアドライヤ保持具（以下、単に「保持具」ともいう）１は、被取付部６に取り付けられ、ヘアドライヤ（以下、単に「ドライヤ」ともいう）５を保持している。ここで、保持具１の各構成を説明するのに先立って、ドライヤ５及び被取付部６等について説明する。
【００１４】
なお、各図、及び、以下の説明において、各方向Ｄ１〜Ｄ３は、保持具１がドライヤ５を保持している状態を基準として、定められている。第１方向Ｄ１は、前後方向Ｄ１ともいい、第１方向Ｄ１のうち、図における矢印方向を前方とし、図における矢印方向と反対方向を後方とする。そして、第１方向Ｄ１と直交する第２方向Ｄ２は、横方向（左右方向）Ｄ２ともいい、第２方向Ｄ２のうち、図における矢印方向を左方とし、図における矢印方向と反対方向を右方とする。
【００１５】
また、第１方向Ｄ１及び第２方向Ｄ２とそれぞれ直交する第３方向Ｄ３は、上下方向Ｄ３ともいい、第３方向Ｄ３のうち、図における矢印方向は、上方とし、図における矢印方向と反対方向を下方とする。なお、前後、左右、及び上下については、説明の便宜上で用いるためであって、保持具１がドライヤ５を保持していない状態において、前後が反対になったり、左右が反対になったり、そして、上下が反対になったりしてもよいことは勿論である。
【００１６】
ドライヤ５は、風が吹き出される吹出口５１ａを有する本体部５１と、本体部５１から突出して、把持されるハンドル部５２とを備えている。また、ドライヤ５は、ハンドル部５２の端部５２ａから延びる電源コード５３を備えている。なお、図示していないが、本体部５１は、内部に、ヒータ及び送風ファン等を備えている。
【００１７】
ハンドル部５２は、本体部５１に連結される基部５２ｂを備えている。そして、端部５２ａは、基部５２ｂと回転可能に接続されている。これにより、ハンドル部５２の端部５２ａは、折り畳められることで、本体部５１に沿って位置することもできる。また、ハンドル部５２は、操作される操作部（スライドスイッチ）５２ｃを備えている。なお、ハンドル部５２は、ドライヤ５が保持具１に保持されている状態においては、本体部５１から下方に向けて突出している。
【００１８】
被取付部６は、所定の厚みを有している。具体的には、被取付部６は、棒状に形成されている。そして、被取付部６は、直線状に延びており、横方向Ｄ２に沿って配置されている。また、被取付部６の断面形状は、円形状である。なお、被取付部６の断面形状は、例えば、三角形状、矩形状、又は多角形状である、という構成でもよい。
【００１９】
被取付部６は、面部７と離れて対面するように、面部７の前方に配置されている。なお、棒状の被取付部６は、面部７に沿って延びている。そして、被取付部６の端部は、それぞれ固定部８，８により、面部７に固定されている。本実施形態においては、被取付部６は、タオル掛けであり、面部７は、壁である。なお、被取付部６と面部７との間の距離は、特に限定されない。
【００２０】
図１〜図３に示すように、保持具１は、ドライヤ５を支持する支持部１１と、被取付部６に引っ掛けられる引掛部１２，１２とを備えている。また、保持具１は、面部７に当たる当接部１３，１３と、引掛部１２と当接部１３とを接続する接続部１４，１４とを備えている。
【００２１】
支持部１１は、ハンドル部５２を挟むように配置される一対の挟み部１１ａ，１１ｂと、一対の挟み部１１ａ，１１ｂの前方の端部を連結する連結部１１ｃとを備えている。即ち、支持部１１は、後方の一部が開放された環状に、形成されている。
【００２２】
挟み部１１ａ，１１ｂは、直線状に形成されており、連結部１１ｃは、曲線状（具体的には、湾曲状）に形成されている。そして、連結部１１ｃは、可撓性を有しており、変形可能である。これにより、連結部１１ｃが変形することで、挟み部１１ａ，１１ｂ間の距離が変更できるため、ハンドル部５２の色々なサイズに対応することができる。
【００２３】
支持部１１は、ハンドル部５２の周りに配置されている。具体的には、支持部１１は、ハンドル部５２の上端の周りに配置されている。そして、支持部１１は、本体部５１を下方から支持することで、ドライヤ５を支持している。
【００２４】
引掛部１２は、曲線状に形成されている。具体的には、引掛部１２は、湾曲状に形成されている。そして、引掛部１２は、支持部１１の挟み部１１ａ，１１ｂの後方の端部からそれぞれ曲がるように延びて形成されている。なお、挟み部１１ａ，１１ｂ及び引掛部１２は、それぞれ棒状に形成されている。また、引掛部１２は、被取付部６の上部に引っ掛かっている。具体的には、引掛部１２は、被取付部６の上部で且つ面部７側（後方側）に引っ掛かっている。
【００２５】
当接部１３は、引掛部１２よりも下方に配置されている。そして、接続部１４の全体は、被取付部６と面部７とが対面する方向（前後方向Ｄ１）において、被取付部６と面部７との間に配置されている。なお、接続部１４は、直線状に形成されている。また、接続部１４は、棒状に形成されている。
【００２６】
図１に係る保持具１の状態においては、引掛部１２が被取付部６の上部に引っ掛かると共に、当接部１３が面部７に当たることで、保持具１が被取付部６に対して安定して取り付けられている。そして、支持部１１がドライヤ５を支持しているため、ドライヤ５は、保持具１により保持されている。なお、図１に係る保持具１の状態においては、ドライヤ５は、被取付部６に接している一方で、面部７から離れている。
【００２７】
したがって、例えば、ドライヤ５を手で持つことなく、髪をドライヤ５で乾かすことができる。これにより、両手が自由となるため、例えば、クシ、ヘアアイロン、整髪剤等を持ちながら、髪をドライヤ５で乾かすことができる。そして、ドライヤ５の使用が終わった後には、引掛部１２を被取付部６から取り外すだけで、保持具１を容易に片付けることができる。
【００２８】
ところで、引掛部１２は、可撓性を有しており、変形可能である。例えば、引掛部１２は、曲率半径を変えるように、変形可能である。これにより、引掛部１２は、支持部１１の位置に対する当接部１３の位置を変更可能な位置変更部１５としても機能する。例えば、図４に係る保持具１の状態においては、図１に係る保持具１の状態と比較して、引掛部１２（位置変更部１５）の曲率半径が小さくなっているため、当接部１３が支持部１１に対して近くなっている。
【００２９】
これにより、被取付部６に対する支持部１１の位置や向きを変更することができる。例えば、図４に係る保持具１の状態においては、図１に係る保持具１の状態と比較して、ドライヤ５の吹出口５１ａが、下方側に向いている。
【００３０】
なお、図４に係る保持具１の状態においては、引掛部１２が被取付部６の上部に引っ掛かることで、保持具１が被取付部６に取り付けられている。そして、ドライヤ５の電源コード５３が面部７に当たると共に、支持部１１がドライヤ５を支持しているため、ドライヤ５は、保持具１により保持されている。なお、図４に係る保持具１の状態においては、当接部１３は、面部７から離れている。
【００３１】
また、保持具１を形成する材質は、特に限定されないが、少なくとも支持部１１の連結部１１ｃ及び位置変更部１５は、可撓性を有する材質で形成されている。例えば、保持具１は、可撓性を有する心線材と、心線材を被覆する被覆材とで、構成されていてもよい。そして、例えば、心線材の材質は、金属（例えば、アルミ）であってもよく、また、例えば、被覆材の材質は、合成樹脂（例えばＰＶＣ）であってもよい。
【００３２】
このように、支持部１１の連結部１１ｃ及び位置変更部１５は、他の部分と同じ材料で形成されている。但し、連結部１１ｃ及び位置変更部１５は、湾曲して曲線状であるため、直線状の挟み部１１ａ，１１ｂ及び接続部１４と比較して、変形し易くなっている。即ち、挟み部１１ａ，１１ｂ及び接続部１４も、変形可能ではあるものの、挟み部１１ａ，１１ｂ及び接続部１４を変形させるために必要な力は、連結部１１ｃ及び位置変更部１５を変形させるために必要な力よりも、大きくなる。
【００３３】
また、当接部１３は、被覆材を覆うキャップを備えている。例えば、キャップの材質は、被覆材よりも柔らかい樹脂（例えばゴム）が好ましい。これにより、当接部１３が面部７に当たる際に、面部７に傷がつくことを抑制している。なお、キャップが備えられておらず、被覆材が露出している、という構成でもよい。
【００３４】
以上より、本実施形態に係るヘアドライヤ保持具１は、本体部５１から突出するハンドル部５２を有するヘアドライヤ５を保持するヘアドライヤ保持具１であって、前記ハンドル部５２の周りに配置されて前記ヘアドライヤ５を支持する支持部１１と、被取付部６の上部に引っ掛けられる引掛部１２と、を備える。
【００３５】
斯かる構成によれば、支持部１１は、ハンドル部５２の周りに配置され、ヘアドライヤ５を支持している。そして、引掛部１２が被取付部６の上部に引っ掛けられることで、ヘアドライヤ保持具１が被取付部６に取り付けられるため、ヘアドライヤ５を保持することができる。また、引掛部１２が被取付部６の上部に引っ掛けられているだけなので、引掛部１２を被取付部６から容易に取り外すことができる。したがって、被取付部６に対してヘアドライヤ保持具１の取り付け及び取り外しを容易に行える。
【００３６】
また、本実施形態に係るヘアドライヤ保持具１は、面部７と離れて対面し且つ前記面部７に沿って延びる棒状の前記被取付部６に対して、前記引掛部１２よりも下方に配置されて前記面部７に当たる当接部１３と、前記引掛部１２と前記当接部１３とを接続する接続部１４と、をさらに備える、という構成である。
【００３７】
斯かる構成によれば、被取付部６は、面部７と離れて対面し、面部７に沿って棒状に延びている。それに対して、当接部１３は、引掛部１２よりも下方に配置され、また、接続部１４は、引掛部１２と当接部１３とを接続している。そして、引掛部１２が被取付部６の上部に引っ掛かると共に、当接部１３が面部７に当たっているため、ヘアドライヤ保持具１が被取付部６に対して安定して取り付けられる。
【００３８】
また、本実施形態に係るヘアドライヤ保持具１は、前記支持部１１の位置に対する前記当接部１３の位置を変更可能な位置変更部１５を、さらに備える、という構成である。
【００３９】
斯かる構成によれば、位置変更部１５は、支持部１１の位置に対する当接部１３の位置を変更することができるため、例えば、被取付部６に対する支持部１１の位置や向き等を変更することができる。これにより、例えば、ヘアドライヤ保持具１に保持されたヘアドライヤ５の位置や向き等を変更することができる。
【００４０】
また、本実施形態に係るヘアドライヤ保持具１においては、前記支持部１１は、前記ハンドル部５２を挟むように配置される直線状の挟み部１１ａ，１１ｂを一対備え、前記引掛部１２は、前記挟み部１１ｂの端部から曲がるように延びて形成される、という構成である。
【００４１】
斯かる構成によれば、支持部１１は、ハンドル部５２を挟むように配置される直線状の挟み部１１ａ，１１ｂを一対備えている。そして、引掛部１２は、挟み部１１ａ，１１ｂの端部からそれぞれ曲がるように延びて形成されている。これにより、例えば、ヘアドライヤ保持具１を簡素な構成にすることができる。
【００４２】
なお、ヘアドライヤ保持具１は、上記した第１実施形態に係るヘアドライヤ保持具１の構成及び作用に限定されるものではない。例えば、上記した第１実施形態に係るヘアドライヤ保持具１に対して、以下のような変更が行われてもよい。
【００４３】
（１）図１〜図４に係るヘアドライヤ保持具１は、面部７に沿って棒状に延びる被取付部６に取り付けられる、という構成である。しかしながら、ヘアドライヤ保持具１は、斯かる構成に限られない。例えば、図５に示すように、ヘアドライヤ保持具１は、板状に形成される被取付部６に取り付けられる、という構成でもよい。
【００４４】
図５に係る保持具１の状態においては、引掛部１２が被取付部６の上部に引っ掛かることで、保持具１が被取付部６に取り付けられている。そして、ドライヤ５のハンドル部５２が被取付部６の表面に当たると共に、支持部１１がドライヤ５を支持しているため、ドライヤ５は、保持具１により保持されている。なお、図５に係る保持具１の状態においては、当接部１３は、被取付部６から離れている。例えば、図５に係る被取付部６は、扉、仕切り板、鏡台等である。
【００４５】
（２）また、上記第１実施形態に係るヘアドライヤ保持具１においては、支持部１１の連結部１１ｃ及び位置変更部１５は、他の部分と同じ材料で形成されている、という構成である。しかしながら、ヘアドライヤ保持具１は、斯かる構成に限られない。例えば、図６及び図７に示すように、ヘアドライヤ保持具１の一部（可撓部）１ａは、変形し易いように、他部（剛性部）１ｂよりも、可撓性（柔軟性）を有する材質で形成されている、という構成でもよい。
【００４６】
（２−１）図６及び図７に係る保持具１においては、可撓部１ａは、変形し易いように、可撓性を有する材質で形成されており、剛性部１ｂは、変形することを防止するように、剛性を有する材質で形成されている。可撓部１ａ及び剛性部１ｂを形成する材質は、特に限定されないが、例えば、可撓部１ａは、可撓性を有する心線材と、心線材を被覆する被覆材とで、構成されていてもよく、また、例えば、剛性部１ｂは、剛性を有する硬質樹脂で構成されていてもよい。
【００４７】
なお、可撓部１ａは、保持具１の前方部であって、支持部１１を構成しており、剛性部１ｂは、保持具１の後方部であって、引掛部１２、当接部１３、及び接続部１４を構成している。これにより、支持部１１が変形することで、ハンドル部５２の色々なサイズに対応することができる一方で、引掛部１２が変形しないため、即ち、位置変更部が設けられていないため、支持部１１の位置に対する当接部１３の位置は、一定（不変）となる。
【００４８】
（２−２）また、例えば、支持部１１の連結部１１ｃ及び位置変更部１５は、変形し易いように、支持部１１の挟み部１１ａ，１１ｂ及び接続部１４よりも、可撓性（柔軟性）を有する材質で形成されている、という構成でもよい。斯かる構成によれば、連結部１１ｃ及び位置変更部１５を容易に変形させることができる。
【００４９】
（３）また、上記第１実施形態に係るヘアドライヤ保持具１においては、支持部１１は、後方の一部が開放された環状に、形成されている、という構成である。しかしながら、ヘアドライヤ保持具１は、斯かる構成に限られない。例えば、支持部１１は、図８〜図１１に示すように、支持部１１は、前方の一部が開放された環状に、形成されている、という構成でもよい。
【００５０】
斯かる構成によれば、図９及び図１１に示すように、ハンドル部５２が基部（上端部）５２ｂに操作部５２ｄを備えているドライヤ５に対して、保持具１がドライヤ５を保持している状態で、当該操作部５２ｄを操作することができる。当該操作部５２ｄは、例えば、押しボタンであったり、スライドスイッチであったりする。
【００５１】
（３−１）図８及び図９に係る保持具１においては、支持部１１は、ハンドル部５２を挟むように配置される直線状の挟み部１１ａ，１１ｂを一対備えている。そして、引掛部１２は、支持部１１の挟み部１１ａ，１１ｂの後方の端部からそれぞれ曲がるように延びて形成されている。また、接続部１４は、引掛部１２の後方の端部から直線状に延びて形成されており、当接部１３は、接続部１４の後方の端部同士を連結するように、曲線状（具体的には、湾曲状）に形成されている。
【００５２】
なお、保持具１は、可撓性を有する心線材と、心線材を被覆する被覆材とで、構成されている。なお、挟み部１１ａ，１１ｂの前方の端部は、被覆材を覆うキャップで構成されている。そして、挟み部１１ａ，１１ｂが変形されることで、挟み部１１ａ，１１ｂ間の距離が変更できるため、ハンドル部５２の色々なサイズに対応することができる。
【００５３】
また、引掛部１２は、可撓性を有しており、変形可能である。これにより、引掛部１２は、支持部１１の位置に対する当接部１３の位置を変更可能な位置変更部１５としても機能する。例えば、図８及び図９に係る保持具１は、図１〜図５に係る保持部１の状態に対して、前後方向Ｄ１を（具体的には、左右方向Ｄ２及び上下方向Ｄ３も）反対にし、引掛部１２で、被取付部６の上部に引っ掛けられている、という構成でもよい。
【００５４】
（３−２）図１０及び図１１に係る保持具１は、変形し易いように、可撓性を有する材質で形成される可撓部１ａと、変形することを防止するように、剛性を有する材質で形成される剛性部１ｂとを備えている。なお、可撓部１ａは、保持具１の前方部であって、支持部１１を構成しており、剛性部１ｂは、保持具１の後方部であって、引掛部１２、当接部１３、及び接続部１４を構成している。
【００５５】
そして、挟み部１１ａ，１１ｂが変形されることで、挟み部１１ａ，１１ｂ間の距離が変更できるため、ハンドル部５２の色々なサイズに対応することができる。一方で、引掛部１２が変形しないため、即ち、位置変更部が設けられていないため、支持部１１の位置に対する当接部１３の位置は、一定（不変）となる。
【００５６】
＜第２実施形態＞
次に、ヘアドライヤ保持具における第２の実施形態について、図１２〜図２１を参照しながら説明する。なお、図１２〜図２１において、図１〜図１１の符号と同一の符号を付した部分は、第１実施形態と略同様の構成又は略同様の機能（作用）を有する要素を表し、その説明は、繰り返さない。
【００５７】
図１２〜図１５に示すように、保持具２は、ドライヤ５を支持する支持部２１と、被取付部６に引っ掛けられる引掛部２２と、面部７に当たる当接部２３と、引掛部２２と当接部２３とを接続する接続部２４，２４とを備えている。なお、保持具２は、先方側（前方側）に支持部２１を有する第１部材２ａと、先方側（下方側）に当接部２３を有する第２部材２ｂとを備えている。
【００５８】
保持具２は、支持部２１の位置に対する当接部２３の位置を変更可能な位置変更部２５を備えている。そして、位置変更部２５は、第１部材２ａの基端部（後端部）と第２部材２ｂの基端部（上端部）とを回転可能に接続しており、第２部材２ｂに対する第１部材２ａの位置を保持できる。即ち、位置変更部２５は、ヒンジ機構であって、力が付与された際に、第２部材２ｂに対する第１部材２ａの位置を変更でき、力が付与されていない際に、第２部材２ｂに対する第１部材２ａの位置を保持する。
【００５９】
支持部２１は、ハンドル部５２を挟むように配置される一対の挟み部２１ａ，２１ｂと、一対の挟み部２１ａ，２１ｂの後方の端部を連結する連結部２１ｃとを備えている。即ち、支持部２１は、前方の一部が開放された環状に、形成されている。
【００６０】
挟み部２１ａ，２１ｂは、弾性を有している。これにより、挟み部２１ａ，２１ｂは、ハンドル部５２を挟み込むことにより、ドライヤ５を支持している。具体的には、挟み部２１ａ，２１ｂは、互いに離れる方向に弾性変形することにより互いに近づく方向への復元力が働くため、ハンドル部５２に加圧接触している。このように、挟み部２１ａ，１２ｂが弾性変形することによって、挟み部２１ａ，２１ｂ間の距離が変更できるため、ハンドル部５２の色々なサイズに対応することができる。
【００６１】
保持具２を形成する材質は、特に限定されないが、少なくとも支持部２１の挟み部２１ａ，２１ｂは、弾性を有する材質で形成されている。本実施形態においては、支持部２１は、ハンドル部５２と接触する接触部２１ｄと、接触部２１ｄを支持する本体部２１ｅとを備えている。
【００６２】
接触部２１ｄは、支持部２１の内周部に配置されており、本体部２１ｅは、支持部２１ｅの外周部に配置されている。そして、接触部２１ｄの弾性率は、支持部２１ｅの弾性率よりも、小さくなっている。例えば、接触部２１ｄは、エラストマー樹脂やゴムで形成されていてもよく、また、例えば、支持部２１ｅは、硬質樹脂で形成されていてもよい。
【００６３】
これにより、接触部２１ｄが弾性変形することで、ドライヤ５を保持することができる。なお、ハンドル部５２のサイズによっては、本体部２１ｅも、弾性変形することができる。また、接触部２１ｄは、柔らかいため、ヘアドライヤ５と接触する際に、ヘアドライヤ５に傷がつくことを抑制することができる。
【００６４】
引掛部２２は、第１部材２ａの基方側（後方側）と第２部材２ｂの基方側（上方側）とで構成されている。そして、引掛部２２は、被取付部６の上部に引っ掛かっている。具体的には、引掛部２２は被取付部６の上部で且つ面部７側（後方側）に引っ掛かっている。また、接続部２４は、第２部材２ｂの中間部で構成されている。
【００６５】
なお、保持具２が使用されない場合には、図１６及び図１７に示すように、第１部材２ａは、第２部材２ｂに対して回転して折り畳められることで、第２部材２ｂに収容される。このとき、第１部材２ａ及び第２部材２ｂは、位置変更部２５の軸方向（横方向）Ｄ２において、重なり合っている。これにより、不使用時に、保持具２を小型化することができるため、例えば、保持具２を持ち運びすることが容易となったり、また、例えば、保持具２を収容するための空間を小さくしたりすることができる。
【００６６】
以上より、本実施形態に係るヘアドライヤ保持具２は、本体部５１から突出するハンドル部５２を有するヘアドライヤ５を保持するヘアドライヤ保持具２であって、前記ハンドル部５２の周りに配置されて前記ヘアドライヤ５を支持する支持部２１と、被取付部６の上部に引っ掛けられる引掛部２２と、を備える。
【００６７】
斯かる構成によれば、支持部２１は、ハンドル部５２の周りに配置され、ヘアドライヤ５を支持している。そして、引掛部２２が被取付部６の上部に引っ掛けられることで、ヘアドライヤ保持具２が被取付部６に取り付けられるため、ヘアドライヤ５を保持することができる。また、引掛部２２が被取付部６の上部に引っ掛けられているだけなので、引掛部２２を被取付部６から容易に取り外すことができる。したがって、被取付部６に対してヘアドライヤ保持具２の取り付け及び取り外しを容易に行える。
【００６８】
また、本実施形態に係るヘアドライヤ保持具２は、面部７と離れて対面し且つ前記面部７に沿って延びる棒状の前記被取付部６に対して、前記引掛部２２よりも下方に配置されて前記面部７に当たる当接部２３と、前記引掛部２２と前記当接部２３とを接続する接続部２４と、をさらに備える、という構成である。
【００６９】
斯かる構成によれば、被取付部６は、面部７と離れて対面し、面部７に沿って棒状に延びている。それに対して、当接部２３は、引掛部２２よりも下方に配置され、また、接続部２４は、引掛部２２と当接部２３とを接続している。そして、引掛部２２が被取付部６の上部に引っ掛かると共に、当接部２３が面部７に当たっているため、ヘアドライヤ保持具２が被取付部６に対して安定して取り付けられる。
【００７０】
また、本実施形態に係るヘアドライヤ保持具２は、前記支持部２１の位置に対する前記当接部２３の位置を変更可能な位置変更部２５を、さらに備える、という構成である。
【００７１】
斯かる構成によれば、位置変更部２５は、支持部２１の位置に対する当接部２３の位置を変更することができるため、例えば、被取付部６に対する支持部２１の位置や向き等を変更することができる。これにより、例えば、ヘアドライヤ保持具２に保持されたヘアドライヤ５の位置や向き等を変更することができる。
【００７２】
また、本実施形態に係るヘアドライヤ保持具２は、前記支持部２１を有する第１部材２ａと、前記当接部２３を有する第２部材２ｂと、を備え、前記位置変更部２５は、前記第１部材２ａと前記第２部材２ｂとを回転可能に接続する、という構成である。
【００７３】
斯かる構成によれば、位置変更部２５は、第１部材２ａと第２部材２ｂとを回転可能に接続している。これにより、第１部材２ａが第２部材２ｂに対して回転することで、支持部２１の位置に対する当接部２３の位置を変更することができる。
【００７４】
なお、ヘアドライヤ保持具２は、上記した第２実施形態に係るヘアドライヤ保持具２の構成及び作用に限定されるものではない。例えば、上記した第２実施形態に係るヘアドライヤ保持具２に対して、以下のような変更が行われてもよい。
【００７５】
（１）図１５に係るヘアドライヤ保持具２は、面部７に沿って延びる棒状の被取付部６に取り付けられる、という構成である。しかしながら、ヘアドライヤ保持具２は、斯かる構成に限られない。例えば、図１８及び図１９に示すように、ヘアドライヤ保持具２は、面部７から突出する被取付部６（例えば、フックやネジ）に取り付けられる、という構成でもよい。
【００７６】
図１８及び図１９に係る保持具２の状態は、図１５に係る保持部２の状態に対して、上下方向Ｄ３を（具体的には、前後方向Ｄ１及び左右方向Ｄ２も）反対にする、又は、第２部材２ｂを第１部材２ａに対して約１８０°回転させている。そして、保持具２は、第２部材２ｂの先方側（上方側）に配置される引掛部２２で、被取付部６の上部に引っ掛けられている。
【００７７】
引掛部２２は、第２部材２ｂの先端部（図１５の状態においては、当接部２３）の内周側に、凹状（一部が開放された凹部）に形成されている。なお、引掛部２２は、凹状に形成されている、という構成に限られない。例えば、引掛部２２は、被取付部６に挿入されるように、貫通孔（閉塞された凹部）である、という構成でもよい。
【００７８】
（２）また、上記第２実施形態に係るヘアドライヤ保持具２においては、位置変更部２５は、一つ備えられている、という構成である。しかしながら、ヘアドライヤ保持具２は、斯かる構成に限られない。例えば、図２０及び図２１に示すように、位置変更部２５，２６は、複数備えられている、という構成でもよい。なお、位置変更部２５，２６は、三つ以上備えられていてもよい。
【００７９】
図２０に係る保持具２は、先方側（前方側）に支持部２１を有する第１部材２ａと、先方側（後方側）に当接部２３を有する第２部材２ｂとを備えている。また、保持具２は、第１部材２ａと第２部材２ｂとを接続する第３部材２ｃを備えている。
【００８０】
保持具２は、支持部２１の位置に対する当接部２３の位置を変更可能な第１及び第２位置変更部２５，２６を備えている。そして、第１位置変更部２５は、第１部材２ａの基端部（後端部）と第３部材２ｃの第１端部（上端部）とを回転可能に接続しており、第２位置変更部２６は、第３部材２ｃの第２端部（下端部）と第２部材２ｂの基端部（前端部）とを回転可能に接続している。
【００８１】
引掛部２２は、第１部材２ａの基方側（後方側）と第３部材２ｃの第１端部側（上端部側）とで構成されている。そして、引掛部２２は、被取付部６の上部に引っ掛けられている。また、接続部２４は、第３部材２ｃの第２端部側（下端部側）と第２部材２ｂの基方側（前方側）とで構成されている。
【００８２】
なお、保持具２が使用されない場合には、図２１に示すように、第１部材２ａ及び第３部材２ｃは、第２部材２ｂに対して回転して折り畳められることで、各部材２ａ〜２ｃは、位置変更部２５，２６の軸方向（横方向）Ｄ２において、重なり合っている。これにより、不使用時に、保持具２を小型化することができるため、例えば、保持具２を持ち運びすることが容易となったり、また、例えば、保持具２を収容するための空間を小さくしたりすることができる。
【００８３】
（３）また、上記第２実施形態に係るヘアドライヤ保持具２においては、支持部２１は、接触部２１ｄと、接触部２１ｄと異なる材質で形成される本体部２１ｅとを備えている、という構成である。しかしながら、ヘアドライヤ保持具２は、斯かる構成に限られない。例えば、支持部２１は、一つの材質（例えば、硬質樹脂）で形成されている、という構成でもよい。
【００８４】
＜第３実施形態＞
次に、ヘアドライヤ保持具における第３の実施形態について、図２２〜図２５を参照しながら説明する。なお、図２２〜図２５において、図１〜図１１の符号と同一の符号を付した部分は、第１実施形態と略同様の構成又は略同様の機能（作用）を有する要素を表し、その説明は、繰り返さない。
【００８５】
図２２〜図２４に示すように、保持具３は、ドライヤ５を支持する支持部３１と、被取付部６に引っ掛けられる引掛部３２と、支持部３１と引掛部３２とを接続する第１接続部３３とを備えている。また、保持具３は、面部７に当たる当接部３４，３４と、引掛部３２と当接部３４とを接続する第２接続部３５，３５とを備えている。
【００８６】
支持部３１は、ハンドル部５２を挟むように配置される一対の挟み部３１ａ，３１ｂと、一対の挟み部３１ａ，３１ｂを連結する連結部３１ｃとを備えている。なお、連結部３１ｃは、可撓性を有しており、変形可能である。これにより、連結部３１ｃが変形することで、挟み部３１ａ，３１ｂ間の距離が変更できる。そして、支持部３１は、ハンドル部５２の周りに配置され、本体部５１を下方から支持することで、ドライヤ５を支持している。
【００８７】
引掛部３２は、湾曲状に形成される凹部３２ａを備えている。そして、引掛部３２は、被取付部６の上部に引っ掛かっている。このとき、引掛部３２の凹部３２ａは、被取付部６の上部と接している。
【００８８】
第１接続部３３は、引掛部３２に挿入されている接続本体部３３ａを備えている。また、第１接続部３３は、接続本体部３３ａが引掛部３２から抜けることを防止するために、引掛部３２に係止される係止部３３ｂを備えている。
【００８９】
接続本体部３３ａは、軸状に形成されている。そして、接続本体部３３ａの一端部は、支持部３１の連結部３１ｃに固定されており、また、接続本体部３３ａの他端部は、係止部３３ｂに固定されている。なお、係止部３３ｂは、接続本体部３３ａよりも大径となるように、形成されている。
【００９０】
接続本体部３３ａは、引掛部３２に対して軸周り（図２２の１点鎖線矢印方向）に回転することができる。これにより、第１接続部３３は、引掛部３２に対する支持部３１の向きを変更することができる。また、接続本体部３３ａは、引掛部３２に対して軸方向（図２２及び図２３の破線矢印方向）に移動することができる。これにより、第１接続部３３は、引掛部３２に対する支持部３１の位置、具体的には、引掛部３２と支持部３１との間の距離を変更することができる。
【００９１】
当接部３４は、引掛部３２よりも下方に配置されている。そして、第２接続部３５の全体は、被取付部６と面部７とが対面する方向において、被取付部６と面部７との間に配置されている。
【００９２】
図２４に係る保持具３の状態においては、引掛部３２が被取付部６の上部に引っ掛かると共に、当接部３４が面部７に当たることで、保持具３が被取付部６に対して安定して取り付けられている。そして、支持部３１がドライヤ５を支持しているため、ドライヤ５は、保持具３により保持されている。
【００９３】
ところで、第２接続部３５は、支持部３１の位置に対する当接部３３の位置を変更可能とすべく、可撓性を有して変形可能である位置変更部３５ａを備えている。例えば、図２４に係る保持具３の状態においては、位置変更部３５ａは、直線状であるのに対して、図２５に係る保持具３の状態においては、位置変更部３５ａは、曲線状（具体的には、湾曲状）である。
【００９４】
これにより、被取付部６に対する支持部３１の位置や向きを変更することができる。例えば、図２５に係る保持具３の状態においては、図２４に係る保持具３の状態と比較して、ドライヤ５の吹出口５１ａが、上方側に向いている。また、図２５に係る保持具３の状態においては、図２４に係る保持具３の状態と比較して、支持部３１は、引掛部３２に対して、より上方側に位置している。
【００９５】
以上より、本実施形態に係るヘアドライヤ保持具３は、本体部５１から突出するハンドル部５２を有するヘアドライヤ５を保持するヘアドライヤ保持具３であって、前記ハンドル部５２の周りに配置されて前記ヘアドライヤ５を支持する支持部３１と、被取付部６の上部に引っ掛けられる引掛部３２と、を備える。
【００９６】
斯かる構成によれば、支持部３１は、ハンドル部５２の周りに配置され、ヘアドライヤ５を支持している。そして、引掛部３２が被取付部６の上部に引っ掛けられることで、ヘアドライヤ保持具３が被取付部６に取り付けられるため、ヘアドライヤ５を保持することができる。また、引掛部３２が被取付部６の上部に引っ掛けられているだけなので、引掛部３２を被取付部６から容易に取り外すことができる。したがって、被取付部６に対してヘアドライヤ保持具３の取り付け及び取り外しを容易に行える。
【００９７】
また、本実施形態に係るヘアドライヤ保持具３は、面部７と離れて対面し且つ前記面部７に沿って延びる棒状の前記被取付部６に対して、前記引掛部３２よりも下方に配置されて前記面部７に当たる当接部３４と、前記引掛部３２と前記当接部３４とを接続する接続部３５と、をさらに備える、という構成である。
【００９８】
斯かる構成によれば、被取付部６は、面部７と離れて対面している。それに対して、当接部３４は、引掛部３２よりも下方に配置され、また、接続部３５は、引掛部３２と当接部３４とを接続している。そして、引掛部３２が被取付部６の上部に引っ掛かると共に、当接部３４が面部７に当たっているため、ヘアドライヤ保持具３が被取付部６に対して安定して取り付けられる。
【００９９】
また、本実施形態に係るヘアドライヤ保持具３は、前記支持部３１の位置に対する前記当接部３４の位置を変更可能な位置変更部３５ａを、さらに備える、という構成である。
【０１００】
斯かる構成によれば、位置変更部３５ａは、支持部３１の位置に対する当接部３４の位置を変更することができるため、例えば、被取付部６に対する支持部３１の位置や向き等を変更することができる。これにより、例えば、ヘアドライヤ保持具３に保持されたヘアドライヤ５の位置や向き等を変更することができる。
【０１０１】
なお、ヘアドライヤ保持具３は、上記した第３実施形態に係るヘアドライヤ保持具３の構成及び作用に限定されるものではない。例えば、上記した第３実施形態に係るヘアドライヤ保持具３に対して、以下のような変更が行われてもよい。
【０１０２】
（１）上記第３実施形態に係るヘアドライヤ保持具３においては、接続本体部３３ａは、引掛部３２に対して軸周りに回転することができる、という構成である。しかしながら、ヘアドライヤ保持具３は、斯かる構成に限られない。例えば、接続本体部３３ａは、引掛部３２に対して回転不能に固定されている、という構成でもよい。
【０１０３】
（２）また、上記第３実施形態に係るヘアドライヤ保持具３においては、接続本体部３３ａは、引掛部３２に対して軸方向に移動することができる、という構成である。しかしながら、ヘアドライヤ保持具３は、斯かる構成に限られない。例えば、接続本体部３３ａは、引掛部３２に対して軸方向に移動不能に固定されている、という構成でもよい。
【０１０４】
なお、ヘアドライヤ保持具は、上記した実施形態の構成に限定されるものではなく、また、上記した作用効果に限定されるものではない。また、ヘアドライヤ保持具は、本発明の要旨を逸脱しない範囲内において種々変更を加え得ることは勿論である。例えば、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に一つ又は複数選択して、上記した実施形態に係る構成や方法等に採用してもよいことは勿論である。
【０１０５】
（１）上記各実施形態に係るヘアドライヤ保持具１〜３は、面部７に当たる当接部１３，２３，３４を備えている、という構成である。しかしながら、ヘアドライヤ保持具は、斯かる構成に限られない。例えば、図２６及び図２７に示すように、ヘアドライヤ保持具４は、面部７に当たる当接部を備えていない、という構成でもよい。
【０１０６】
（２）また、例えば、図２６及び図２７に示すように、ヘアドライヤ保持具４においては、引掛部４２は、支持部４１よりも上方に配置されている、という構成でもよい。ここで、図２６及び図２７に係るヘアドライヤ保持具４について、以下説明する。
【０１０７】
図２６及び図２７に係る保持具４は、ドライヤ５を支持する支持部４１と、被取付部６に引っ掛けられる引掛部４２と、支持部４１と引掛部４２とを接続する接続部４３とを備えている。そして、引掛部４２は、鉤状に形成されており、また、引掛部４２及び接続部４３は、板部材で一体的に形成されている。
【０１０８】
図２７に係る保持具４の状態においては、引掛部４２が被取付部６の上部に引っ掛かると共に、接続部４３が被取付部６の表面に当たることで、保持具４が被取付部６に対して安定して取り付けられている。そして、支持部４１がドライヤ５を支持しているため、ドライヤ５は、保持具４により保持されている。
【０１０９】
（３）また、上記各実施形態に係るヘアドライヤ保持具１〜３は、支持部１１，２１，３１の位置に対する当接部１３，２３，３４の位置を変更可能な位置変更部１５，２５，３５ａを備えている、という構成である。しかしながら、ヘアドライヤ保持具は、斯かる構成に限られない。例えば、ヘアドライヤ保持具は、位置変更部を備えておらず、支持部１１，２１，３１の位置に対する当接部１３，２３，３４の位置は、一定（不変）である、という構成でもよい。
【０１１０】
（４）また、上記各実施形態に係るヘアドライヤ保持具１〜３においては、支持部１１，２１，３１は、一部が開放された環状に形成されている、という構成である。しかしながら、ヘアドライヤ保持具は、斯かる構成に限られない。例えば、支持部は、閉塞された無端状の環状に形成されている、という構成でもよい。
【０１１１】
（５）また、上記各実施形態に係るヘアドライヤ保持具１〜３においては、接続部１４，２４，３５の全体が、被取付部６と面部７とが対面する方向において、被取付部６と面部７との間に配置されている、という構成である。しかしながら、ヘアドライヤ保持具は、斯かる構成に限られない。例えば、接続部の一部が、被取付部６と面部７とが対面する方向において、被取付部６と面部７との間に配置されている、という構成でもよい。
【０１１２】
（６）また、ヘアドライヤ保持具においては、当接部が面部７に当たり且つドライヤ５（例えば、ハンドル部５２や電源コード５３）が面部７に当たる状態で、ドライヤ５が保持具１により支持されてもよい。もちろん、当接部が面部７に当たり且つドライヤ５が面部７から離れる状態（例えば、図１参照）で、ドライヤ５が保持具１により保持されていてもよく、ドライヤ５が面部７に当たり且つ当接部が面部７から離れる状態（例えば、図４参照）で、ドライヤ５が保持具１により保持されていてもよい。
【０１１３】
（７）また、ヘアドライヤ保持具は、面部７に沿って直線状に延びた棒状の被取付部６に取り付けられるだけでなく、例えば、面部７に沿って環状に延びた棒状の被取付部（例えば、環状に形成されたタオル掛け）に取り付けられる、という構成でもよい。また、ヘアドライヤ保持具は、被取付部６に掛けられたタオルの上から、被取付部６に取り付けられる、という構成でもよい。
【符号の説明】
【０１１４】
１…ヘアドライヤ保持具、１ａ…可撓部、１ｂ…剛性部、２…ヘアドライヤ保持具、２ａ…第１部材、２ｂ…第２部材、２ｃ…第３部材、３…ヘアドライヤ保持具、４…ヘアドライヤ保持具、５…ヘアドライヤ、６…被取付部、７…面部、８…固定部、１１…支持部、１１ａ…挟み部、１１ｂ…挟み部、１１ｃ…連結部、１２…引掛部、１３…当接部、１４…接続部、１５…位置変更部、２１…支持部、２１ａ…挟み部、２１ｂ…挟み部、２１ｃ…連結部、２１ｄ…接触部、２１ｅ…本体部、２２…引掛部、２３…当接部、２４…接続部、２５…位置変更部、２６…位置変更部、３１…支持部、３１ａ…挟み部、３１ｂ…挟み部、３１ｃ…連結部、３２…引掛部、３２ａ…凹部、３３…第１接続部、３３ａ…接続本体部、３３ｂ…係止部、３４…当接部、３５…第２接続部、３５ａ…位置変更部、４１…支持部、４２…引掛部、４３…接続部、５１…本体部、５１ａ…吹出口、５２…ハンドル部、５２ａ…端部、５２ｂ…基部、５２ｃ…操作部、５２ｄ…操作部、５３…電源コード
【図１】
2019083961.tif 000003
【図２】
2019083961.tif 000004
【図３】
2019083961.tif 000005
【図４】
2019083961.tif 000006
【図５】
2019083961.tif 000007
【図６】
2019083961.tif 000008
【図７】
2019083961.tif 000009
【図８】
2019083961.tif 000010
【図９】
2019083961.tif 000011
【図１０】
2019083961.tif 000012
【図１１】
2019083961.tif 000013
【図１２】
2019083961.tif 000014
【図１３】
2019083961.tif 000015
【図１４】
2019083961.tif 000016
【図１５】
2019083961.tif 000017
【図１６】
2019083961.tif 000018
【図１７】
2019083961.tif 000019
【図１８】
2019083961.tif 000020
【図１９】
2019083961.tif 000021
【図２０】
2019083961.tif 000022
【図２１】
2019083961.tif 000023
【図２２】
2019083961.tif 000024
【図２３】
2019083961.tif 000025
【図２４】
2019083961.tif 000026
【図２５】
2019083961.tif 000027
【図２６】
2019083961.tif 000028
【図２７】
2019083961.tif 000029